(57)【要約】  第１映像信号発生装置から出力される第１映像信号を記憶する第１記憶部（１１）と、第２映像信号発生装置から出力される第２映像信号を記憶する第２記憶部（１２）と、表示部（１５）と、第１映像発生装置から出力される第１映像信号の映像の少なくとも一部の領域である第１の領域と前記第２映像信号発生装置から出力される第２映像信号の少なくとも一部の領域である第２の領域とのいずれかに、映像の変化があるか否かを検出する検出部（１３）と、検出部（１３）の検出結果に基づいて、前記第１映像信号と前記第２信号のいずれかを表示部（１５）に表示する制御部（１４）と、を有する。
2014181420.tif 000002
【特許請求の範囲】
【請求項１】
第１映像信号発生装置から出力される第１映像信号を記憶する第１記憶部と、
第２映像信号発生装置から出力される第２映像信号を記憶する第２記憶部と、
表示部と、
前記第１映像発生装置から出力される第１映像信号の映像の少なくとも一部の領域である第１の領域と前記第２映像信号発生装置から出力される第２映像信号の少なくとも一部の領域である第２の領域とのいずれかに、映像の変化があるか否かを検出する検出部と、
前記検出部の検出結果に基づいて、前記第１映像信号と前記第２信号のいずれかを前記表示部に表示する制御部と、
を有する表示装置。
【請求項２】
前記検出部は、定められた大きさの変化があるか否かに基づいて前記映像の変化を検出する請求項１記載の表示装置。
【請求項３】
前記第１の領域および第２の領域のサイズは、第１映像信号発生装置および第２映像信号発生装置において用いられる画面上の位置を表す画像のサイズに応じて決まる請求項１または請求項２に記載の表示装置。
【請求項４】
前記制御部は、前記検出部が前記第１の領域において映像の変化を検出した場合に前記第１映像信号を前記表示部に表示し、前記検出部が前記第２の領域において映像の変化を検出した場合に前記第２映像信号を前記表示部に表示することを特徴とする請求項１から請求項３のうちいずれか１項に記載の表示装置。
【請求項５】
前記映像の変化は、特定の図形の移動によって生じる映像の変化であることを特徴とする請求項１から請求項４のうちいずれか１項に記載の表示装置。
【請求項６】
前記第１の領域の位置は、前記第１の映像信号発生装置から自表示装置とは異なる第１の表示装置に出力される映像信号の映像と前記第１の映像信号の映像の配置に応じて決められており、前記第２の領域の位置は、前記第２の映像信号発生装置から自表示装置とは異なる第２の表示装置に出力される映像信号の映像と前記第２の映像信号の映像の配置に応じて決められている請求項１から請求項４のうちいずれか１項に記載の表示装置。
【請求項７】
第１映像信号発生装置から出力される第１映像信号を記憶し、
第２映像信号発生装置から出力される第２映像信号を記憶し、
前記第１映像発生装置から出力される第１映像信号の映像の少なくとも一部の領域である第１の領域と前記第２映像信号発生装置から出力される第２映像信号の少なくとも一部の領域である第２の領域とのいずれかに、映像の変化があるか否かを検出し、
前記検出部の検出結果に基づいて、前記第１映像信号と前記第２信号のいずれかを表示部に表示する
表示装置の表示方法。
【発明の詳細な説明】
【技術分野】
【０００１】
本発明は、表示装置、表示装置の表示方法処理に関する。
【背景技術】
【０００２】
コンピュータに、２台のディスプレイを接続し、一方をプライマリ、他方をセカンダリとし、映像を表示する構成がある（例えば、特許文献１参照）。このような構成では、２台のディスプレイを１台の大きなディスプレイであるかのようにして、映像を表示させることができる。【０００３】
また、このような構成を利用した他の例として、３台のディスプレイを隣接して設置し、２台のコンピュータと接続することもできる。例えば、第１のディスプレイは、第１のコンピュータに接続され、第３のディスプレイは第２のコンピュータに接続され、第２のディスプレイは、第１及び第２のコンピュータに接続され、この第２のディスプレイがセカンダリディスプレイとして利用される。この場合、第２のディスプレイを第１のコンピュータのセカンダリディスプレイとして利用する場合には、切り替えスイッチを第１のコンピュータ側に切り替え、第２のディスプレイを第２のコンピュータのセカンダリディスプレイとして利用する場合には、切り替えスイッチを第２のコンピュータ側に切り替える。これにより、第２のディスプレイは、必要に応じて、第１または第２のコンピュータのうちいずれか一方のセカンダリディスプレイとして利用することができる。
【先行技術文献】
【特許文献】
【０００４】
【特許文献１】特開２００６−０５９２５１号公報
【発明の概要】
【発明が解決しようとする課題】
【０００５】
しかしながら、上述した技術において、どちらのコンピュータを利用して作業しているかによって、その都度、作業を中断しディスプレイの切り替えスイッチを切り替えなければならず、ユーザの作業効率が低下する。【０００６】
本発明は、このような事情に鑑みてなされたもので、その目的は、表示装置の切り替えに伴う作業効率の低下を防止する表示装置、表示装置の表示方法を提供することにある。
【課題を解決するための手段】
【０００７】
上述した課題を解決するために、本発明は、第１映像信号発生装置から出力される第１映像信号を記憶する第１記憶部と、第２映像信号発生装置から出力される第２映像信号を記憶する第２記憶部と、表示部と、前記第１映像発生装置から出力される第１映像信号の映像の少なくとも一部の領域である第１の領域と前記第２映像信号発生装置から出力される第２映像信号の少なくとも一部の領域である第２の領域とのいずれかに、映像の変化があるか否かを検出する検出部と、前記検出部の検出結果に基づいて、前記第１映像信号と前記第２信号のいずれかを前記表示部に表示する制御部と、を有する。【０００８】
また、本発明は、第１映像信号発生装置から出力される第１映像信号を記憶し、第２映像信号発生装置から出力される第２映像信号を記憶し、前記第１映像発生装置から出力される第１映像信号の映像の少なくとも一部の領域である第１の領域と前記第２映像信号発生装置から出力される第２映像信号の少なくとも一部の領域である第２の領域とのいずれかに、映像の変化があるか否かを検出し、前記検出部の検出結果に基づいて、前記第１映像信号と前記第２信号のいずれかを表示部に表示する表示装置の表示方法である。
【発明の効果】
【０００９】
以上説明したように、この発明によれば、表示装置の切り替えに伴う作業効率の低下を防止することができる。
【図面の簡単な説明】
【００１０】
【図１】この発明の一実施形態による表示装置の構成を示す概略ブロック図である。
【図２】第２の実施形態における表示システムの構成を説明する概略構成図である。
【図３】表示装置３０１の機能を表す概略ブロック図である。
【図４】第１記憶部３２１、第２記憶部３２２に記憶される映像信号を表示部へ供給する概念を説明する概念図である。
【図５】表示装置３０１の動作を説明するフローチャートである。
【発明を実施するための形態】
【００１１】
以下、本発明の一実施形態による表示装置について図面を参照して説明する。
図１は、この発明の一実施形態による表示装置の構成を示す概略ブロック図である。
この表示装置１において、第１記憶部１１は、第１映像信号発生装置から出力される第１映像信号を記憶する。第２記憶部１２は、第２映像信号発生装置から出力される第２映像信号を記憶する。検出部１３は、第１映像発生装置から出力される第１映像信号の映像の少なくとも一部の領域である第１の領域と第２映像信号発生装置から出力される第２映像信号の少なくとも一部の領域である第２の領域とのいずれかに、映像の変化があるか否かを検出する。制御部１４は、検出部１３の検出結果に基づいて、第１映像信号と第２信号のいずれかを表示部１５に表示する。表示部１５は、第１映像信号または第２映像信号を表示パネル上に表示する。
【００１２】
この実施形態によれば、所定の領域内における映像の変化を検出すると、その検出結果に基づいて、第１映像信号発生装置からの映像信号と第２映像信号発生装置からの映像信号とのうちいずれか一方の映像信号を表示するようにした。これにより、ユーザが手動で切り替えスイッチ等を操作して切り替えることなく、いずれの映像信号を表示するかを切り替えることができる。
【００１３】
次に、第２の実施形態について説明する。
図２は、第２の実施形態における表示システムの構成を説明する概略構成図である。この実施形態においては、映像信号発生装置１００のプライマリモニタ、映像信号発生装置２００のプライマリモニタ、映像信号発生装置１００と映像信号発生装置２００とで共用されるセカンダリディスプレイ、の３台の表示装置を接続する場合について説明する。
【００１４】
この図において、映像信号発生装置１００は、プライマリモニタに対応する映像信号を表示装置１０１に供給し、セカンダリディスプレイに対応する映像信号を表示装置３００に供給する。映像信号発生装置２００は、プライマリモニタに対応する映像信号を表示装置２０１に供給し、セカンダリディスプレイに対応する映像信号を表示装置３００に供給する。映像信号発生装置１００、映像信号発生装置２００は、例えば、コンピュータである。
【００１５】
表示装置１０１は、映像信号発生装置１００から供給される映像信号を表示する。この表示装置１０１は、映像信号発生装置１００に対するプライマリモニタとして機能する。表示装置２０１は、映像信号発生装置２００から供給される映像信号を表示する。この表示装置２０１は、映像信号発生装置２００に対するプライマリモニタとして機能する。
【００１６】
表示装置３０１は、映像信号発生装置１００または映像信号発生装置２００から供給される映像信号のうち、どちらの映像信号を表示するかを切り替えることで、いずれか一方の映像信号を表示する。この表示装置３０１は、映像信号発生装置１００と映像信号発生装置２００のセカンダリディスプレイとして共有される。
表示装置１０１、表示装置２０１、表示装置３０１は、例えば、液晶表示装置である。
【００１７】
図３は、表示装置３０１の機能を表す概略ブロック図である。
表示装置３０１において、インタフェース部３１０は、映像信号発生装置１００と映像信号発生装置２００に接続される。インタフェース部３１０のうち、第１入力部３１１は、映像信号発生装置１００から供給される第１映像信号を入力する。第２入力部３１２は、映像信号発生装置２００から供給される第２映像信号を入力する。
【００１８】
第１記憶部３２１は、第１コンピュータから出力される第１映像信号を記憶する。第２記憶部３２２は、第２コンピュータから出力される第２映像信号を記憶する。この第１記憶部３２１、第２記憶部３２２は、それぞれ、例えば、ＶＲＡＭ（Ｖｉｄｅｏ  ＲＡＭ（Ｒａｎｄｏｍ  Ａｃｃｅｓｓ  Ｍｅｍｏｒｙ））を用いることができる。この場合、表示装置３００には、VRAMが2基搭載され、入力が2系統存在するとき、現在表示している映像信号の供給元である映像信号発生装置にかかわらず、常時2台の映像信号発生装置（映像信号発生装置１００、映像信号発生装置２００）から供給されているディスプレイへの映像信号をそれぞれ記憶する。
【００１９】
表示部３３０は、映像信号を表示する。この表示部３３０は、例えば、液晶表示パネルであり、制御部３５０からの指示に応じて映像信号を表示する。
【００２０】
検出部３４０は、表示部３３０のうち、前記第１映像発生装置から出力される第１映像信号の映像の少なくとも一部の領域である第１の領域と前記第２映像信号発生装置から出力される第２映像信号の少なくとも一部の領域である第２の領域とのいずれかに、映像の変化があるか否かを検出する。
制御部３５０は、検出部３４０の検出結果に基づいて、映像の変化が検出された領域に対応する映像信号を表示部３３０に表示する。例えば、制御部３５０は、検出部３４０が第１の領域において映像の変化を検出した場合に第１映像信号を表示部３４０に表示し、検出部３４０が第２の領域において映像の変化を検出した場合に第２映像信号を表示部３４０に表示することができる。
【００２１】
次に、図４は、第１記憶部３２１、第２記憶部３２２に記憶される映像信号を表示部３３０へ供給する概念を説明する概念図である。
符号４１０は、映像信号発生装置１００から供給され第１記憶部３２１に記憶された第１映像信号に対応した表示画面の概念を表す図（以下、画面表示イメージと称す）であり、符号４２０は、映像信号発生装置２００から供給され第２記憶部３２２に記憶された第２映像信号に対応した表示画面の概念を表す図（以下、画面表示イメージと称す）である。
また、符号１１０は、表示装置１００の表示画面に表示される映像の概念を表す図であり、符号２１０は、表示装置２００の表示画面に表示される映像の概念を表す図である。
【００２２】
第１の領域４１１は、映像発生装置１００から出力される第１映像信号の映像の少なくとも一部の領域である。この第１の領域４１１の位置は、例えば、映像発生装置１００から出力されプライマリモニタに表示される映像信号の画面表示イメージと第１映像信号の映像との配置関係によって決めることができる。ここでは、第１映像信号の映像に対し、映像発生装置１００から出力されたプライマリモニタに表示される映像信号の画面表示イメージが左側に配置される位置関係である場合、第１の領域４１１は、第１映像信号の映像のうち、左側の領域に設定される。例えば、画面表示イメージ４１０の４つの辺のうち、図に向かって左側の位置に対応する表示装置１０１の表示画面１１０に隣り合う辺である第１の辺４１２を基準として、表示画面の中央側に向かって定められた距離ｃが離れた位置までを含む範囲の領域が第１領域４１１として設定される。この定められた距離は、例えば、映像の変化を検出する対象のサイズに応じて決められる任意の距離である。
【００２３】
第２の領域４２１は、映像発生装置２００から出力される第２映像信号の映像の少なくとも一部の領域である。この第２の領域４２１の位置は、例えば、映像発生装置２００から出力されプライマリモニタに表示される映像信号の画面表示イメージと第２映像信号の映像との配置関係によって決めることができる。ここでは、第２映像信号の映像に対し、映像発生装置２００から出力されたプライマリモニタに表示される映像信号の画面表示イメージが右側に配置される位置関係である場合、第２の領域４２１は、第２映像信号の映像のうち、右側の領域に設定される。例えば、画面表示イメージ４２０の４つの辺のうち、図に向かって右側の位置に対応する表示装置２０１の表示画面２１０に隣り合う辺である第２の辺４２２を基準として、表示画面の中央側に向かって定められた距離ｄが離れた位置までを含む範囲の領域が第２領域４２１として設定される。この定められた距離は、例えば、映像の変化を検出する対象のサイズに応じて決められる任意の距離である。
【００２４】
このように、第１の領域４１１や第２の領域４２１は、プライマリモニタ（表示装置１０１あるいは表示装置２０１）に表示される映像とセカンダリモニタ（表示装置３０１）に表示される映像とが隣接する関係にある場合には、その隣接する位置を基準として決めることができる。
【００２５】
映像の変化は、特定の図形の移動によって生じる映像の変化であることが例として上げられる。この映像の変化は、例えば、第１映像信号のうち、映像信号発生装置１００において使用されるマウス等の入力装置によって入力する対象の画面上の位置を示す図形（例えば、マウスカーソル）が、第１の領域内に移動してきたか否か、及び、第２映像信号のうち、映像信号発生装置２００において使用されるマウス等の入力装置によって入力する対象の画面上の位置を示す図形（例えば、マウスカーソル）が、第２の領域内に移動してきたか否かに基づいて、検出部３４０が検出する。ここでは、距離ｃ、距離ｄは、マウスカーソルの幅と同じか、それよりも大きなサイズに対応した距離である。
【００２６】
この場合、マウスカーソルの大きさが、映像信号発生装置１００と映像信号発生装置２００において異なる場合、映像信号発生装置において用いられるそれぞれのカーソルの大きさに応じて距離ｃ、距離ｄを異なる距離とすることができる。すなわち、第１の領域４１１と、第２の領域４２１の大きさは、同じであってもよいし、異なっていてもよい。
【００２７】
このような構成において、検出部３４０は、第１の記憶部３２１に記憶される映像信号のうち第１の領域４１１と、第２の記憶部３２２に記憶される映像信号のうち第２の領域４２１と、をポーリングによって一定時間毎に監視し、この領域内にマウスカーソルの大きさに対応するピクセル分のサイズの変化が現れたか否かを検出することで、第１の領域４１１または第２の領域４２１において映像の変化が生じたことを検出する。ここでは、検出部３４０は、さらに、この映像の変化の方向がプライマリモニタ側からセカンダリディスプレイ側へ移動する方向であるか、セカンダリディスプレイ側からプライマリモニタ側に移動する方向であるかを検出する。例えば、検出部３４０は、第１の領域４１１において、表示装置１０１側から表示装置３０１側に向かってマウスカーソルが移動したか（符号ａ）、表示装置３０１側から表示装置１０１側に向かってマウスカーソルが移動したか（符号ｂ）を検出し、第２の領域４２１において、表示装置２０１側から表示装置３０１側に向かってマウスカーソルが移動したか（符号ｆ）、表示装置３０１側から表示装置２０１側に向かってマウスカーソルが移動したか（符号ｇ）を検出する。
【００２８】
制御部３５０は、検出部３４０の検出結果に応じて、表示部３３０に表示させる映像信号を、第１記憶部３２１または第２記憶部３２２から読み出し、ソフトウェア上のスイッチ（符号ｅ）を切り替えて、表示部３３０に出力する。例えば、制御部３４０は、検出部３４０が、第１の領域４１１において、表示装置１０１側から表示装置３０１側に向かってマウスカーソルが移動したことを検出した場合には、第１映像信号を表示部３３０に表示させ、表示装置３０１側から表示装置１０１側に向かってマウスカーソルが移動したことを検出した場合には、この検出結果に応じた処理は行わない。また、制御部３５０は、第２の領域４２１において、表示装置２０１側から表示装置３０１側に向かってマウスカーソルが移動したことを検出した場合には、第２映像信号を表示部３３０に表示させ、表示装置３０１側から表示装置２０１側に向かってマウスカーソルが移動した場合には、この検出結果に応じた処理は行わない。これにより、マウスカーソルがプライマリモニタ側からセカンダリディスプレイ側に移動した映像信号発生装置１００または映像信号発生装置２００からの映像信号が表示部３３０に表示される。
【００２９】
ここで、ユーザは、一般に、セカンダリディスプレイで映像の参照や作業をしたい場合、マウスカーソルをプライマリモニタ側からセカンダリディスプレイ側に移動させる。これを利用し、この実施形態においては、２台の映像信号発生装置を表示装置に接続した際、表示装置３０１、ユーザ操作によるマウスカーソルの移動を検知し、マウスカーソルがセカンダリディスプレイ内（表示装置３０１側）に移動してきた方の映像信号発生装置からの映像信号に、自動で表示切替を行う。
【００３０】
次に、上述した実施形態における表示装置３０１の動作について、図５のフローチャートを用いて説明する。
表示装置３０１は、映像信号発生装置１００から供給される第１映像信号と映像信号発生装置２００から供給される第２映像信号を入力し（ステップＳ１１）、第１映像信号を第１記憶部３２１に記憶し、第２映像信号を第２記憶部３２２に記憶する（ステップＳ１２）。
【００３１】
検出部３４０は、第１記憶部３２１に記憶された第１映像信号のうち、所定の領域内において映像の変化があるか否かを検出するとともに、第２記憶部３２２に記憶された第２映像信号のうち、所定の領域内において映像の変化があるか否かを検出する（ステップＳ１３）。
【００３２】
検出部３４０は、いずれかの所定の領域内において映像の変化があったことを検出した場合、その変化した映像の移動方向が、プライマリモニタ側からセカンダリディスプレイ側への移動方向であるか否かを検出する（ステップＳ１４）。制御部３５０は、変化した映像の移動方向が、プライマリモニタ側からセカンダリディスプレイ側への移動方向である場合、その変化が生じた映像信号の供給元からの映像信号へ切り替えを行う（ステップＳ１５）。そして、制御部３４０は、表示を終了する指示が表示装置３０１に入力されたか否かを判定し、表示終了の指示が入力された場合には、表示部３３０への表示を終了し、表示終了の指示が入力されていなければ、ステップＳ１１に移行する。
【００３３】
一方、ステップＳ１３において、検出部３４０が映像の変化がないことを検出した場合、制御部３５０は、現在と同じ供給元からの映像信号を表示（切り替えしない）する（ステップＳ１７）。また、ステップＳ１４において、検出部３４０が映像の変化がプライマリモニタ側からセカンダリディスプレイ側への移動方向ではないことを検出した場合、現在と同じ供給元からの映像信号を表示（切り替えしない）する（ステップＳ１７）。
【００３４】
上述した第１の実施形態および第２の実施形態によれば、２台の映像信号発生装置のセカンダリディスプレイとして使用されている表示装置が、ユーザが現在どちらの映像信号発生装置を使用した作業をしているかを判別し、その表示を使用している映像信号発生装置側に、手動によってスイッチ等を切り替えることなく、表示の切り替えを行うことができる。また、この第１の実施形態および第２の実施形態によれば、ハードスイッチ（物理的なスイッチ）を切り替える必要がないので、スイッチ自体が使用と共に劣化し、正しい切り替えが不可能となる場合を防止することもできる。
【００３５】
また、上述した第２の実施形態によれば、映像の変化が、セカンダリディスプレイ側からプライマリディスプレイ側への移動方向である場合には、映像信号の切り替えを行わないようにしたので、セカンダリディスプレイを用いた作業をしている際に、マウスカーソルをプライマリディスプレイ側に移動させた場合における誤切替を防止することができる。
【００３６】
なお、上述の第１の実施形態または第２の実施形態において、セカンダリディスプレイに第１映像が表示され、かつ、第１の映像信号発生装置からの映像信号に基づくカーソルがセカンダリディスプレイに存在する場合において、第２の映像信号発生装置からの映像信号に基づくカーソルが、セカンダリディスプレイ側に移動したことが検出された場合、制御部３５０は、第１の映像信号の表示から第２の映像信号の表示に切り替えることができる。
【００３７】
また、上述した第１の実施形態および第２の実施形態における構成は、映像信号発生装置が３台以上であり、表示装置が映像信号発生装置よりも１台以上多い台数であっても、適用することができる。
【００３８】
上述した実施形態における表示装置１または表示装置３０１の機能をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Field Programmable Gate Array）等のプログラマブルロジックデバイスを用いて実現されるものであってもよい。
【００３９】
以上、この発明の実施形態について図面を参照して詳述してきたが、具体的な構成はこの実施形態に限られるものではなく、この発明の要旨を逸脱しない範囲の設計等も含まれる。
【産業上の利用可能性】
【００４０】
上述した表示装置は、特に作業効率が求められる事務や開発等の職種において用いられる表示装置として利用できる。
【符号の説明】
【００４１】
１、１０１、２０１、３０１  表示装置
１１、３２１  第１記憶部
１２、３２２  第２記憶部
１３、３４０  検出部
１４、３５０  制御部
１５、３３０  表示部
１００、２００  映像信号発生装置
３１０  インタフェース部
３１１  第１入力部
３１２  第２入力部
【図１】
2014181420.tif 000003
【図２】
2014181420.tif 000004
【図３】
2014181420.tif 000005
【図４】
2014181420.tif 000006
【図５】
2014181420.tif 000007
【国際調査報告】
2014181420.tif 000008
2014181420.tif 000009
2014181420.tif 000010
2014181420.tif 000011